(57)【特許請求の範囲】
【請求項１】
３本のひも端部（６ａ，８ａ，１０ａ）を結合させることができ、そのうちの１本（８ａ）は着脱自在であるような連結具（１２）であって、
第１端部側連結具は、ひも端部（８ａ）を接続する基部（１６ａ）と、両翼部材（１６ｄ）とを備えた雄部材（１６）を有し、
第２端部側連結具は、ひも端部（１０ａ）を接続する基部（２０ａ）を備えた回動部分（２０）を有し、
第３端部側連結具は、ひも端部（６ａ）を接続する基部（１８ａ）と、前記雄部材（１６）を収容する収容部分（１８ｂ）と、前記回動部分（２０）を回動自在に支持する係留部分（１８ｇ）と、前記両翼部材（１６ｄ）を係脱可能とする係脱部材（２２）を有することを特徴とする連結具。
【請求項２】
前記回動部分（２０）が、前記収容部分（１８ｂ）の突起（１８ｈ）と、前記回動部分（２０）のピン孔（２０ｃ）の係合によって回動自在である請求項１記載の連結具。
【請求項３】
前記両翼部材（１６ｄ）が、前記両翼部材の翼先端段部（１６ｅ）と前記収容部分（１８ｂ）の基部（１８ｆ）の係合・離脱によって係脱可能である請求項１又は２記載の連結具。
【請求項４】
前記係脱部材（２２）が、前記収容部分（１８ｂ）の左右開口側部を連結する弾力部材であり、前記収容部分（１８ｂ）の中に位置するコの字型連結部（２２ａ）と前記収容部分（１８ｂ）の左右側部に露出する押圧部（２２ｂ）からなる請求項１または３のいずれかに記載の連結具。
【請求項５】
請求項１ないし４のいずれかに記載の連結具（１２）を肩紐に使用したマタニティブラジャー。
【発明の詳細な説明】
【０００１】
【発明の属する技術分野】
本発明は連結具及びこれを使用するマタニティブラジャーに関する。
【０００２】
【従来の技術】
ブラジャーカップを僅かにずらすだけで授乳が可能なマタニティブラジャーが幾つか提案されている。例えば、肩紐の他に別につり紐を設けた考案がある。肩紐は連結具により着脱可能となっているので、授乳時には連結具を外し、肩紐の係合を解き、ブラジャーカップを前に押し出して乳房を露出させることができる。そのときでも、ブラジャーはつり紐により保持されているので、ブラジャーの位置が大きくずれることはないという効果がある。
【０００３】
【発明が解決しようとする課題】
しかし、この考案に用いられている連結具は両手を使わなければ外すことはできない。乳児を抱いた姿勢で両手を使わなければならないのは不便であると共に危険でもある。
【０００４】
また、従来製品の連結具は２分割された紐同士を直線方向に連結することしかできず、体の曲線に合わせて湾曲的に連結させるのが困難である。
【０００５】
【課題を解決するための手段】
本発明は、３本のひも端部を結合させることができ、そのうちの１本は着脱自在であるような連結具であって、第１端部側連結具は、ひも端部を接続する基部と、両翼部材を備えた雄部材を有し、第２端部側連結具は、ひも端部を接続する基部と、回動部分を有し、第３端部側連結具は、ひも端部を接続する基部と、前記雄部材を収容する収容部分と、前記回動部分を回動自在に支持する係留部分と、前記両翼部材を係脱可能とする係脱部材を有することを特徴とする。
【０００６】
本発明のマタニティブラジャーは、そのような連結具を肩紐に使用したことを特徴とする。
【０００７】
【発明の実施の態様】
前記回動部分と前記係留部材を回動自在とするのは、例えば収容部分の突起と、回動部分のピン孔の係合である。
【０００８】
前記両翼部材と前記係脱部材を係脱可能とするのは、例えば両翼部材の翼先端段部と収容部分基部の係合である。
【０００９】
係脱部材は、例えば収容部分の左右開口側部を連結する弾力部材であり、収容部分の中に位置するコの字型連結部と収容部分の左右側部に露出する押圧部からなる。
【００１０】
【実施例】
以下、添付の図面に基づいて本発明の実施例を説明する。
【００１１】
図１は、本発明のマタニティブラジャーの正面図である。
【００１２】
ブラジャーカップ２を有する本体部４と、ブラジャーカップ２を支持する肩紐の他に、授乳時にブラジャーを支持するつり紐６からなる。肩紐は、前側紐８と後側紐１０に２分割されて、それぞれの端部８ａ，１０ａが連結具１２で着脱可能に連結されている。また、途中に肩紐８，１０の長さ調節具１４が設けられている。つり紐６はブラジャーカップ２底部と後肩紐１０の間を接続する。
【００１３】
授乳時には連結具１２を外し、前後肩紐８，１０の係合を解き、ブラジャーカップ２を前に押し出して乳房を露出させることができる。そのときでも、ブラジャーはつり紐６により保持されているので、ブラジャーの位置が大きくずれることはない。
【００１４】
以下、この連結具を説明する。上記説明から明らかなように、この連結具は３つの紐の端部、即ち、前側肩紐８、後側肩紐１０及びつり紐６を結合する。このうち、前側肩紐８と後側肩紐１０の各端部８ａ，１０ａは開閉するが、後側肩紐１０とつり紐６の各端部１０ａ，６ａはつなぎ放しである。
【００１５】
図２は本発明の連結具１２の正面図である。図３は、前側肩紐８と後側肩紐１０の各端部８ａ，１０ａの連結を解除した状態の平面図、図４はその断面図である。
【００１６】
図３に示すように、端部８ａは連結具１２の雄部材１６と連結している。雄部材１６は端部８ａと結ばれた基部１６ａと挿入部分１６ｂからなる。挿入部分１６ｂは、中心軸１６ｃとその両翼部材１６ｄからなる。雄部材１６は弾力部材からなるので、両翼部材１６ｄは翼開閉方向に弾力を有する。両翼部材の翼先端には段部１６ｅが形成されている。
【００１７】
前記したように、端部６ａと端部１０ａはつながれたままで開放されることはない。端部６ａは本体１８の基部１８ａと結ばれている。本体１８は、雄部材１６の挿入部分１６ｂを着脱可能に収容するスペースを備えた収容部分１８ｂを有する。収容部分１８ｂは、開口した後部１８ｃ（図４）と、同じく開口した側部１８ｅを有する。後部は平面から見れば本体１８長手方向に対して垂直方向に膨出する基部１８ｆとなっている。
【００１８】
本体１８の先端には、端部１０ａ側のひもと結ばれた回動部分２０を回動自在に留める係留部分１８ｇがある。係留部分１８ｇには本体１８と垂直方向に起立するピン１８ｈが設けられている。係留部分１８ｇ本体と一体成形された底部１８ｉ（図４）と回動部分２０をはめ込んだ後に被せられる蓋部分１８ｊからなる。
【００１９】
回動部分２０は基部２０ａと突起２０ｂからなり、突起２０ｂにはピン孔２０ｃが設けられている。ピン孔２０ｃは前記ピン１８ｄとはまり合うので、回動部分２０は本体１８と回動自在につながれるのである（図５参照）。
【００２０】
雄部材１６と本体１８を着脱可能とするのは係脱部材２２の役目である。係脱部材２２は収容部分１８ｂの左右側部を連結する弾力部材であり、収容部分１８ｂの中に位置するコの字型連結部２２ａと収容部分１８ｂの左右側部に露出する押圧部２２ｂからなる。
【００２１】
雄部材１６を本体１８の収容部分１８ｂに挿入すると、両翼部材１６ｄが内側方向に翼を縮めながら進入し、図２の状態で固定される。このとき、両翼部材の翼先端段部１６ｅと収容部分１８ｂの基部１８ｆが係合するので、両者は抜け落ちることがない。両者の係合を開放するときは、係脱部材の押圧部２２ｂを指で内側方向に押し、両翼部材の翼を内側方向に縮める。この状態で雄部材１６と本体１８を引き離すことができる。
【００２２】
連結具の各部品は合成樹脂で作成することができる。
【００２３】
【発明の効果】
本発明の連結具１２は３本のひも端部６ａ，８ａ，１０ａを結合させることができ、そのうちの１本８ａは着脱自在である。しかも、残った２本のひも端部は連結具１２の回動部分２０により相互に回動することができる。そのため、人体などの曲線部にフィットさせることができるので、マタニティブラジャーとして最適である。
【００２４】
また、この連結具を使用したマタニティブラジャーによれば、片手の指で押圧部２２ｂを押すだけでひも端部８ａの係合を開放することができるので、乳児を抱いた姿勢でも安全に使用することができる。
【図面の簡単な説明】
【図１】  本発明のマタニティブラジャーの正面図である。
【図２】  本発明の連結具１２の正面図である。
【図３】  前側肩紐８と後側肩紐１０の各端部８ａ，１０ａの連結を解除した状態の平面図である。
【図４】  前側肩紐８と後側肩紐１０の各端部８ａ，１０ａの連結を解除した状態の断面図である。
【図５】  回動部分２０の回動の様子を示す平面図である。
【符号の説明】
２          ブラジャーカップ
４          本体部
６ａ        紐端部
６          つり紐
８          前側肩紐
８ａ        紐端部
１０        後側肩紐
１０ａ      紐端部
１２        連結具
１４        調節具
１６        雄部材
１６ａ      基部
１６ｂ      挿入部分
１６ｃ      中心軸
１６ｄ      両翼部材
１６ｅ      翼先端段部
１８        本体
１８ａ      基部
１８ｂ      収容部分
１８ｃ      後部
１８ｄ      ピン
１８ｅ      側部
１８ｆ      基部
１８ｇ      係留部分
１８ｈ      ピン
１８ｊ      蓋部分
１８ｉ      底部
２０ｃ      ピン孔
２０        回動部分
２０ａ      基部
２０ｂ      突起
２２        係脱部材
２２ａ      コ字型連結部
２２ｂ      押圧部
【図１】
0004036584.tif 000002
【図２】
0004036584.tif 000003
【図３】
0004036584.tif 000004
【図４】
0004036584.tif 000005
【図５】
0004036584.tif 000006